(57)【要約】【課題】  連結が容易で、吊持杆の製造効率の向上、製造コスト低減、強度向上を実現し得る天井板用吊持杆の連結機構を提供する。【解決手段】  まず、一方の天井板用吊持杆１の主板部４側面に縦長の挿入孔１０を形成し、他方の天井板用吊持杆１の端部から、前記一方の吊持杆１の主板部４側面に端縁が当接する基板部２１を突成し、さらに前記基板部２１の主板部４側面に当接する端縁ｅの位置からは、前方へ連結突部２２を突成した。さらに、連結突部２２に、コ字状切起し部２４を設けた。コ字状切起し部２４は、その接続基部２１ｂを湾曲させることにより、連結突部の主面から厚み方向に切り起こされて、開放端縁と基板部の端縁との間隔が吊持杆の主板部の肉厚とほぼ一致するようにして厚み方向に形成されてなる。そして、前記挿入孔１０に連結突部２２を圧入して、該連結突部２２を挿入孔１０から離脱不能に連結するようにした。【選択図】図５
2011001817.tif 000002
【特許請求の範囲】
【請求項１】
主板部の下端に天井板の端部を支持する係止縁部を備えた天井板用吊持杆相互を、Ｔ字状に連結する連結機構において、
一方の天井板用吊持杆の主板部側面に挿入孔が形成され、
他方の天井板用吊持杆の端部に、前記一方の吊持杆の主板部側面に端縁が当接する基板部が突設され、
前記基板部の主板部側面に当接する端縁の位置からは、連結突部が突成されると共に、該連結突部には、前縁の接続基部のみが当該連結突部の主面と連成され、後縁を開放端縁とするコ字状切起し部が、該接続基部を湾曲させることにより、連結突部の主面から厚み方向に切り起こされて、開放端縁と基板部の端縁との間隔が吊持杆の主板部の肉厚とほぼ一致するようにして厚み方向に形成されてなり、
前記挿入孔に連結突部を圧入することにより、切起し部の開放端縁が挿入孔周縁で主板部側面と当接して、該連結突部が挿入孔から離脱不能となるようにしたことを特徴とする天井板用吊持杆の連結機構。
【発明の詳細な説明】
【技術分野】
【０００１】
本発明は、天井板を吊持するための吊持杆相互をＴ字状に連結するための連結機構に関するものである。
【背景技術】
【０００２】
図１等で示すように、天井板用吊持杆１は、断面略逆Ｔ字状をしており、下部の水平部を、両側縁で夫々天井板ｐの端部を支持する係止縁部３，３とし、主板部４の上端にハンガーｈが固着される幅広の係止隆部２を備える。この吊持杆１は、図２２で示すように、交叉状又は平行状に多数本組み付けられ、吊持杆１，１の係止縁部３，３で天井板ｐの端部を支持することにより、多数の天井板ｐを整列状に支持して、室内の天井を構成している。
【０００３】
ここで、天井板用吊持杆１相互を格子状に組み付ける際に、一方の天井板用吊持杆１の側面に、他方の天井板用吊持杆１の端縁を当接して連結する場合がある。そこで、本発明者は既に、一方の天井板用吊持杆の主板部に縦長の挿入孔を形成し、他方の吊持杆の端部に、該端部から突成されて、一方の吊持杆の主板部側面に当接する基板部と、基板部から延成されたＵ字状連結突部とを設け、前記挿入孔に連結突部を圧入して、その折返し部の端縁を挿入孔周縁で主板部側面と当接させて、該連結突部を挿入孔から離脱不能に連結するようにした構成を提案している（特許文献１参照）。
【特許文献１】特開２００２−２８５６７５
【発明の開示】
【発明が解決しようとする課題】
【０００４】
ところで、本発明者は、さらなる天井板用吊持杆の製造効率の向上、製造コストの低減、又は強度の向上を図るべく、従来構成に改善を加えた。
本発明は、製造効率の向上、製造コスト低減、又は強度向上を実現し得る天井板用吊持杆の連結機構を提供することを目的とするものである。
【課題を解決するための手段】
【０００５】
本発明は、主板部の下端に天井板の端部を支持する係止縁部を備えた天井板用吊持杆相互を、Ｔ字状に連結する連結機構において、
一方の天井板用吊持杆の主板部側面に挿入孔が形成され、
他方の天井板用吊持杆の端部に、前記一方の吊持杆の主板部側面に端縁が当接する基板部が突設され、
前記基板部の主板部側面に当接する端縁の位置からは、連結突部が突成されると共に、該連結突部には、前縁の接続基部のみが当該連結突部の主面と連成され、後縁を開放端縁とするコ字状切起し部が、該接続基部を湾曲させることにより、連結突部の主面から厚み方向に切り起こされて、開放端縁と基板部の端縁との間隔が吊持杆の主板部の肉厚とほぼ一致するようにして厚み方向に形成されてなり、
前記挿入孔に連結突部を圧入することにより、切起し部の開放端縁が挿入孔周縁で主板部側面と当接して、該連結突部が挿入孔から離脱不能となるようにしたことを特徴とする天井板用吊持杆の連結機構である。
【０００６】
かかる構成にあって、他方の天井用吊持杆に突成した連結突部に具備されるコ字状切起し部の、主面からの切起し高さは、一方の天井板用吊持杆の主板部に形成した挿入孔の横幅よりもわずかに大きく設定される。これにより、挿入孔に連結突部を挿入する際にあって、連結突部に形成されたコ字状切起し部が挿入孔を通過するときは、コ字状切起し部が挿入孔周縁と接触して、基板部と平行となるように弾縮することとなる。そして、かかる弾性力に抗してさらに連結突部を圧入すると、挿入孔を通過することが可能となる。そして、基板部の端縁が、一方の天井板用吊持杆の主板部の側面に当接した位置で、基板部端縁とコ字状切起し部の開放端縁との間に一方の天井板用吊持杆の主板部が挟持され、この位置でコ字状切起し部は、弾縮が解除されて拡開し、コ字状切起し部の開放端縁が、挿入孔周縁で、挿入側と反対側の主板部側面と当接する。これにより、連結突部は挿入孔から離脱不能になって、吊持杆相互が連結されることとなる。
【０００７】
また、かかる挿入孔の側縁に、規制溝縁を形成し、コ字状切起し部の開放端縁に、該規制溝縁に挿入される規制舌片を突成した構成が採用される。
【０００８】
かかる構成にあっては、一方の天井板用吊持杆の主板部に形成した挿入孔に、他方の天井板用吊持杆に突成した連結突部を圧入すると、基板部の端縁が一方の天井板用吊持杆の主板部の側面に当接すると共に、連結突部のコ字状切起し部の開放端縁に突成した規制舌片は、規制溝縁に挿入された状態となる。この状態では、該規制舌片が、規制溝縁の側端に弾接して、該コ字状切起し部は拡開を規制されて、弾縮状態に維持される。このため、連結突部は挿入孔に対して、幅方向への緩みがない。しかも、他方の天井板用吊持杆に引張方向の力が作用した場合にも、コ字状切起し部が拡開することなく保持される。さらには、規制舌片の先端が一方の天井板用吊持杆の主板部を貫通するから、該規制舌片を基板部側に押しつける操作によって、連結突部を挿入孔から離脱する操作が容易となり、天井板用吊持杆相互の分離も容易となる。
【０００９】
さらに、一方の天井板用吊持杆の主板部に、挿入孔の側部位置で、コ字状切起し部の開放端縁が弾接する規制突部を形成した構成としても良い。      
【００１０】
かかる構成にあっては、挿入孔に連結突部を圧入すると、基板部の端縁が一方の天井板用吊持杆の主板部の側面に当接すると共に、コ字状切起し部の開放端縁がその拡開作用により、規制突部に弾接することとなる。このため、連結突部は挿入孔に対して幅方向への緩みがなく、しかも、他方の天井板用吊持杆に引張方向の力が作用した場合にも、コ字状切起し部の開放端縁が拡開することなく保持される。
【００１１】
また、コ字状切起し部に、主面に対して厚み方向に膨隆する補強膨隆部を形成した構成が提案される。かかる構成は、プレス加工により、コ字状切起し部の剛性を向上することができ、新たな加工を要することなく、各天井板用吊持杆相互を高い連結強度で安定的に保持することができる。ここで、コ字状切起し部の表裏に、夫々補強膨隆部を形成した構成とすることにより、更なる剛性の向上を図ることが可能となる。なお、上述の構成とすることにより、コ字状切起し部の前後方向の強度が高められ、過度の座屈を防止し得る。
【００１２】
また、基板部及び連結突部が、天井板用吊持杆の主板部と一体成形されてなる構成が提案される。かかる構成とすることにより、一連のプレス成形工程で一度に基板部、連結突部、及び主板部を成形することが可能となり、製造効率を向上することができる。
【００１３】
また、基板部と、連結突部とを連成した連結板を、天井板用吊持杆の主板部の端部側面に接合した構成とすることができる。かかる構成にあっては、連結板を予め形成して、これを天井板用吊持杆の主板部の端部側面にビス留め又は溶接等して接合することにより構成される。このため、長尺であるため加工が面倒な天井板用吊持杆とは別途に、金属板の切断及び湾曲工程により連結板を形成でき、天井板用吊持杆の製造が簡単となる。
【発明の効果】
【００１４】
本発明にかかる天井板用吊持杆の連結機構は、コ字状切起し部が形成された連結突部を、一方の天井板用吊持杆に形成された挿入孔に圧入して、コ字状切起し部の開放端縁を挿入孔周縁で主板部側面と当接させて、該連結突部を挿入孔から離脱不能となるようにしたから、挿入孔に連結突部を圧入するだけで、相互が容易に連結されるため、組み付けに熟練を要しない。また、コ字状切起し部を形成するに際して、湾曲・折曲加工等の前工程が不要であるため、全体として吊持杆の製造工程が簡略化され、吊持杆の製造効率の向上、製造コスト低減を実現し得る優れた効果が生じる。
【００１５】
また、挿入孔の側縁に、規制溝縁を形成し、コ字状切起し部の開放端縁に該規制溝縁に挿入される規制舌片を突成した場合は、規制舌片が規制溝縁の側端に弾接して、連結突部に幅方向への緩みがなくなる。これにより安定的な保持が可能となると共に、他方の天井板用吊持杆に引張方向の力が作用した場合にも、コ字状切起し部の開放端縁が拡開することなく保持され、保持強度が向上する。さらには、規制舌片を基板部側に押し付ける操作によって、天井板用吊持杆相互を容易に分離することができる。
【００１６】
さらに、一方の天井板用吊持杆の主板部に、挿入孔の側部位置で、コ字状切起し部の開放端縁が弾接する規制突部を形成した構成にあっても、コ字状切起し部の開放端縁がその拡開作用により、規制突部に弾接することとなり、連結突部は幅方向への緩みがなく、しかも、他方の天井板用吊持杆に引張方向の力が作用した場合にも、コ字状切起し部の開放端縁が拡開することなく保持される。
【００１７】
また、コ字状切起し部に、主面に対して厚み方向に膨隆する補強膨隆部を形成した構成とした場合には、連結突部を成形加工するプレス加工のなかで補強膨隆部を形成することができるため、新たな加工を要することなくコ字状切起し部の剛性を向上することができ、各天井板用吊持杆相互を高い連結強度で安定的に保持することが可能となる。また、コ字状切起し部の表裏に、夫々補強膨隆部を形成した構成とした場合は、更なる剛性の向上を図ることが可能となる。
【００１８】
また、基板部及び連結突部が、天井板用吊持杆の主板部と一体成形されてなる構成とした場合には、一連のプレス成形工程で一度に基板部、連結突部、及び主板部を成形することが可能となり、製造効率を向上することができる。
【００１９】
また、基板部と、連結突部とを連成した連結板を、天井板用吊持杆の主板部の端部側面に接合した構成とした場合は、金属板の切削及び切起し加工により連結板を容易に形成でき、長尺であり加工が面倒な天井板用吊持杆の加工を要せず、製造が容易となる。
【発明を実施するための最良の形態】
【００２０】
添付図面に従って本発明の一実施形態例を説明する。
図１等は、本発明の連結機構により相互に連結される天井板用吊持杆１を示すものである。図1，４で示すように、天井板用吊持杆１は断面略逆Ｔ字状をしており、下部の水平部を係止縁部３，３とし、この係止縁部３，３で夫々天井板ｐ（図２２参照）の端部を支持する。一方、天井板用吊持杆１の主板部４の上端には、ハンガーｈ（図２２参照）が固着される幅広の係止隆部２を備えている。
【００２１】
この天井板用吊持杆１，１相互はＴ字状に連結される。そして天井板用吊持杆１の両側で同一位置に、吊持杆１，１が夫々Ｔ字状結合することにより、図２で示すように、各天井板用吊持杆１，１，１が交差状に連結された態様となる。
【００２２】
かかる連結機構につき説明する。
図３，４で示すように、一方の吊持杆１には、その主板部４に、縦長の挿入孔１０、１０が隣接して連通状に形成される。さらに、この各挿入孔１０の側縁中央には、規制溝縁１１が形成される。この両挿入孔１０、１０により、主板部４の両側で、一方の吊持杆１に対して夫々他方の吊持杆１，１の端部が連結可能となり、上述のように交差状連結構成を呈し得ることとなる。
【００２３】
一方、図１，５に示されるように、挿入孔１０を介して吊持杆１の両側で連結される各吊持杆１，１の端部からは、一方の吊持杆１の主板部４側面に端縁ｅが当接する基板部２１が突設されている。この基板部２１は、吊持杆１の端縁から係止縁部３の幅Ｗ（図１参照）に相当する分だけ長軸方向に突出している。なお、この基板部２１は、プレス加工により、厚み方向に、主板部４表面よりわずかに隆起している。
【００２４】
さらに、前記基板部２１からは、図５に示されるように、連結突部２２が突成されている。この連結突部２２は、その中央に、前縁のみが主面と連成され、後縁を開放端縁とするコ字状切起し部２４を備えている。このコ字状切起し部２４は、主面と連成する前縁を接続基部２４ｂとし、該接続基部２４ｂを湾曲させて、連結突部２２の主面から厚み方向に切り起こされたものであって、側方からみるとコ字状を呈している。そして、その縦長は、挿入孔１０の縦長と略等しくしている。また、基板部２１の端縁ｅとコ字状切起し部２４の開放端縁２４ａとの間隔ｔ（図５，図６（イ）参照）を吊持杆１の主板部４の肉厚にほぼ一致させている。さらに、このコ字状切起し部２４の、連結突部２２の主面からの切起し高さは、挿入孔１０の横幅よりもわずかに大きく設定される。
【００２５】
また、コ字状切起し部２４の開放端縁２４ａの中央部からは、規制溝縁１１に挿入される規制舌片２５が突成されている。この規制舌片２５については後述する。
【００２６】
ここで、前記の主板部４、基板部２１、及び連結突部２２は、バネ性の高いスチール等からなる金属板により構成される。また、基板部２１は、主板部４表面に対して隆起させた構成でなくても良い。
【００２７】
上述した構成にあって、一方の吊持杆１の主板部４に吊持杆１の端縁を連結するには、図６（イ），（ロ）で示すように、連結突部２２を挿入孔１０に圧入するだけでよい。これにより、コ字状切起し部２４が挿入孔１０の両側縁で挟圧されて弾性変形し、基板部２１に対してほぼ平行となって、挿入孔１０への通過が可能となる。そしてさらに通入すると、基板部２１の端縁ｅが、主板部４に当接する位置で、コ字状切起し部２４の挿入孔１０による拘束が解除されて、拡開位置に復帰する。そして、このとき規制舌片２５が規制溝縁１１を貫通する（図６（ロ’）参照）。これにより、この位置で、規制舌片２５が規制溝縁１１の側縁に当接することとなり、コ字状切起し部２４の拡開が制限され、規制舌片２５が規制溝縁１１の側縁に弾接位置に保持されて連結状態となる。
【００２８】
かかる連結状態にあって、他方の吊持杆１を、一方の吊持杆１に対して、引張する力が作用した場合に、コ字状切起し部２４の開放端縁２４ａが挿入孔１０側傍の主板部４に当接（図６（ロ）参照）しているから、連結突部２２が挿入孔１０に対して離脱不能に拘束される。これと共に、規制溝縁１１によりコ字状切起し部２４の開放端縁２４ａはその拡開を拘束（図６（ロ’）参照）されているから、その引張力により、該コ字状切起し部２４が外方へ開いて、変形するようなこともない。また、この構成にあって、連結を解除するには、挿入孔１０から突出する規制舌片２５をドライバーなどで、基板部２１と平行となるように押し込むだけで、コ字状切起し部２４の開放端縁２４ａが挿入孔１０内に位置して、拘束が解除されるから、連結突部２２を容易に挿入孔１０から離脱できる。このためその連結解除も容易となる。
【００２９】
この連結は上述したように、吊持杆１の両側で夫々隣接する挿入孔１０，１０に対して夫々行われるため、図２で示すように、吊持杆１，１，１相互が直交状となる。
【００３０】
なお、コ字状切起し部２４を形成するには、連結突部２２を切起し加工するだけで良く、湾曲・折曲加工を不要とするものであるから、天井板用吊持杆１の製造工程が簡略されることとなる。また、基板部２１、連結突部２２、及び主板部４が一体成形されてなる構成であるから、一連のプレス成形工程で一度に基板部２１、連結突部２２、及び主板部４を成形することが可能となり、製造効率を向上することができる。
【００３１】
ここで、上述した構成のほか、種々の構成が提案される。以下説明する。
【００３２】
図７は、バネ性の高いスチール等からなる金属板により構成された連結板２０が、ビス１９，１９により主板部４に固着された第二実施形態例にかかる構成である。この連結板２０は、吊持杆１の端縁から係止縁部３の幅Ｗに相当する分だけ突出する基板部２１と、該基板部２１から突出する連結突部２２とを連成してなる。かかる構成とすることにより、長尺であるため加工が面倒な天井板用吊持杆１とは別途に、金属板の切断及び切起し加工により連結板２０を形成でき、天井板用吊持杆１の製造が簡単となる。
【００３３】
図８は、主板部４と基板部２１とを跨ぐ領域に、厚み方向（図中奥側）に膨隆する補強膨隆部３０を備えた第三実施形態例にかかる構成である。かかる構成とすることにより、基板部２１の剛性が向上することとなり、吊持杆１に厚み方向の引張力が作用しても、天井板ｐを安定して保持することが可能となる。なお、かかる補強膨隆部３０は、基板部２１等を成形するためのプレス加工工程の中で同時に成形可能であるから、製造工程が増えることがない。
【００３４】
さらに、図９（ａ）〜（ｃ）は、コ字状切起し部２４に、主面に対して厚み方向に膨隆する補強膨隆部（補強リブ）３１を備えた第四実施形態例にかかる構成である。図９（ａ）は、コ字状切起し部２４の中央に形成した構成である。また、図９（ｂ）は、規制舌片２５にも補強膨隆部（補強リブ）３１を形成した構成である。図９（ｃ）は、規制舌片２５自体を湾曲加工し、コ字状切起し部２４に補強膨隆部（補強リブ）３１を形成した構成である。これらの構成とすることにより、コ字状切起し部２４の前後方向の剛性が向上することとなり、コ字状切起し部２４、又は規制舌片２５が座屈しにくくなる。なお、補強膨隆部（補強リブ）３１をコ字状切起し部２４の表裏に夫々形成した構成としても良い。
【００３５】
図１０は、連結突部２２の、座屈防止を図るべく、連結突部２２の上端縁２２ａ、及び下端縁２２ｂを、コ字状切起し部２４の形成方向に、主面に対してほぼ９０度だけ折曲させた第五実施形態例にかかる構成である。かかる構成にあっては、図１１（イ）に示されるように、挿入孔１０ａの側縁の最上位置に上端縁用通過孔３４が、また挿入孔１０ａの側縁の最下位置に下端縁用通過孔３５が挿入孔１０ａと連通状に形成される。さらに詳述すると、前記上端縁用通過孔３４と下端縁用通過孔３５は、連結突部２２の上端縁２２ａ又は下端縁２２ｂが通過し得るように、挿入孔１０ａに対して幅広となっている。かかる構成とすることにより、連結突部２２を挿入孔１０に圧入する際にあって、上下端縁２２ａ，２２ｂが一方の吊持杆１の主板部４と当接して通入不能となることを回避することが可能となり、図１１（ロ）に示されるように、連結突部２２が挿入孔１０に適正に挿入され、相互連結することが可能となる。
【００３６】
図１２〜１４に示される構成は、上述の規制舌片２５を設けず、挿入孔１０の側傍に、コ字状切起し部２４の開放端縁２４ａが面方向で弾接する規制突部３６ａを形成した第六実施形態例にかかるものである。さらに詳述すると、図１２，１３に示されるように、挿入孔１０の側傍に加締め加工を施すことにより、吊持杆１の厚み方向に膨隆する半円形規制突部３６ａとしたものである。かかる構成にあっては、挿入孔１０に、連結突部２２を圧入すると、基板部２１の端縁ｅが一方の天井板用吊持杆１の主板部４の側面に当接すると共に、図１４に示されるように、コ字状切起し部２４の開放端縁２４ａがその拡開作用により、規制突部３６ａに弾接することとなる。このため、連結突部２２には、挿入孔１０に対して幅方向への緩みがなく、しかも、他方の天井板用吊持杆１に引張方向の力が作用した場合にも、コ字状切起し部２４の開放端縁２４ａが拡開することなく保持される。すなわち、拡開保持作用において、上述の規制舌片２５と同様の作用効果を奏することとなる。また、図１５に示されるように、図１２に示される規制突部３６ａに比して、半円形状を大きくした規制突部３６ｂを備えた構成としても良く、また規制突部３６ａ，３６ｂの形状は適宜変更可能である。
【００３７】
ここで図１６〜１８は、挿入孔１０の側縁に、逆Ｌ字状に切込み縁３７を形成して、連成部を直角に折り曲げることにより、主板部４に対して直交する方向に規制突部３６ｃを形成した第七実施形態例にかかるものである。かかる構成にあっても、第六実施形態例にかかる構成と同様の作用効果を奏することとなる。
【００３８】
なお、これまでに述べた第一実施形態例から第七実施形態例にあっては、いずれも、コ字状切起し部２４に規制舌片２５を連成したり、規制突部３６ａ，３６ｂ，３６ｃを設けるようにして、拡開保持作用を生じさせるようにしているが、コ字状切起し部２４の剛性を高める等の理由により、図１９に示される第八実施形態例のように、かかる規制舌片２５，規制突部３６ａ，３６ｂ，３６ｃを省略した構成も、本発明の範囲内である。なお、かかる構成にあって、連結された吊持杆１相互を離脱させる場合は、図２０に示されるように、挿入孔１０の側縁中央に形成された解除用溝３８に、キリ等の細い棒状の工具を挿入し、その先端でコ字状切起し部２４を基板部２１と平行となるように押し込めば良い。そうすると、コ字状切起し部２４の開放端縁２４ａが挿入孔１０内に位置して、挿入孔１０の側縁による拘束が解除されるから、連結突部２２を容易に挿入孔１０から離脱できる。
【００３９】
また、挿入孔１０，１０ａの形状は、上述した縦長形状のほか、連結突部２２の形状に伴って適宜変更され得る。例えば、正方形状、横長形状であっても良い。また、コ字状切起し部２４は、上述したように、側方からみてほぼコ字状であるが、その平面形状はほぼＣ字状、あるいはほぼ三角形状であっても勿論良く、適宜変更可能である。さらにまた、コ字状切起し部２４を切り起こす際に、接続基部２４ｂを折曲加工して、図２１に示されるように、接続基部２４ｂがＲ形状とならないようにする構成が参考として示される。
【図面の簡単な説明】
【００４０】
【図１】第一実施形態例の吊持杆１の連結機構を示す縦断側面図である。
【図２】第一実施形態例の吊持杆１の連結機構を示す横断平面図である。
【図３】第一実施形態例の吊持杆１の挿入孔１０を示す正面図である。
【図４】第一実施形態例の吊持杆１の挿入孔１０を示す縦断側面図である。
【図５】第一実施形態例の吊持杆１に備えられた連結突部２２を示す側面図である。
【図６】第一実施形態例の連結手段を示す説明図であり、（イ）は挿入孔１０への連結突部２２の挿入前の状態、（ロ）は図１Ａ−Ａで切断した挿入後の状態、（ロ’）は図１Ｂ−Ｂで切断した挿入後の状態を示す。
【図７】第二実施形態例の連結板２０を示す縦断側面図である。
【図８】第三実施形態例の吊持杆１の連結機構を示す縦断側面図である。
【図９】第四実施形態例の吊持杆１の連結機構であって、（ａ），（ｂ），（ｃ）は、コ字状切起し部２４の異なる態様を示す縦断側面図である。
【図１０】第五実施形態例の吊持杆１の連結機構を示す縦断側面図である。
【図１１】（イ）は、第五実施形態例の挿入孔１０ａを示す正面図であり、（ロ）は、挿入孔１０ａに連結突部２２を挿入した状態を示す縦断側面図である。
【図１２】第六実施形態例の連結機構を示す縦断側面図である。
【図１３】第六実施形態例の吊持杆１の挿入孔１０を示す正面図である。
【図１４】第六実施形態例の吊持杆１の連結機構を示す横断平面図である。
【図１５】規制突部３６ｂを備えた吊持杆１の縦断側面図である。
【図１６】第七実施形態例の吊持杆１の連結機構を示す縦断側面図である。
【図１７】第七実施形態例の挿入孔１０を示す正面図である。
【図１８】第七実施形態例の吊持杆１の連結機構を示す横断平面図である。
【図１９】第八実施形態例にかかる吊持杆１の連結機構を示す横断平面図である。
【図２０】第八実施形態例にかかる吊持杆１の連結機構を示す縦断側面図である。
【図２１】他の参考構成の連結突部２２を示す横断平面図である。
【図２２】吊持杆１の連結構造を示す斜視図である。
【符号の説明】
【００４１】
１  吊持杆  
２  係止隆部  
３，３  係止縁部
４  主板部  
１０，１０ａ  挿入孔
１１  規制溝縁
２０  連結板
２１  基板部
２２  連結突部
２４  コ字状切起し部
２４ａ  開放端縁
２４ｂ  接続基部
２５  規制舌片
３０，３１  補強膨隆部
３６ａ，３６ｂ，３６ｃ  規制突部  
ｅ  基板部の端縁
ｐ  天井板
【図１】
2011001817.tif 000003
【図２】
2011001817.tif 000004
【図３】
2011001817.tif 000005
【図４】
2011001817.tif 000006
【図５】
2011001817.tif 000007
【図６】
2011001817.tif 000008
【図７】
2011001817.tif 000009
【図８】
2011001817.tif 000010
【図９】
2011001817.tif 000011
【図１０】
2011001817.tif 000012
【図１１】
2011001817.tif 000013
【図１２】
2011001817.tif 000014
【図１３】
2011001817.tif 000015
【図１４】
2011001817.tif 000016
【図１５】
2011001817.tif 000017
【図１６】
2011001817.tif 000018
【図１７】
2011001817.tif 000019
【図１８】
2011001817.tif 000020
【図１９】
2011001817.tif 000021
【図２０】
2011001817.tif 000022
【図２１】
2011001817.tif 000023
【図２２】
2011001817.tif 000024